(57)【特許請求の範囲】
【請求項１】
開口部を有する袋本体とこの袋本体の前記開口部の縁部から延出する蓋片とを有し、前記蓋片を折り返して当該蓋片の内面を前記袋本体の外面に重ね合わせて前記開口部を封止する収納袋であって、前記蓋片の内面と前記袋本体の外面のうちの一方に、剥離片により覆われると共に前記蓋片を接着する接着部を設けた収納袋が装着され、当該収納袋内に被収納物を封入する封入治具において、
前記被収納物が挿入される挿入部と、
前記挿入部に連結され、前記収納袋が装着される収納袋装着部と、
前記収納袋を前記収納袋装着部から取り外す際、前記剥離片に係合してこの剥離片を前記接着部から剥離する係合部と、
を備えた
ことを特徴とする封入治具。
【請求項２】
前記挿入部、前記収納袋装着部及び前記係合部を支持する基材を更に備えた
ことを特徴とする請求項１に記載の封入治具。
【請求項３】
前記収納袋装着部は、前記収納袋の前記開口部内に挿入される挿入板と、前記挿入板から一方の側に立ち上がる一対のガイド板と、を有し、
前記挿入板は、前記被収納物を挿入する向きに先細りとなる第１先端部を有して形成され、
前記係合部は、前記挿入板に対して他方の側に配置され、前記被収納物を挿入する向きとは逆向きに先細りとなる第２先端部を有する係合板からなり、
前記係合板は、前記第２先端部に近づくにつれて前記挿入板との離間距離が次第に小さくなっている
ことを特徴とする請求項１または２に記載の封入治具。
【請求項４】
前記収納袋装着部は、前記収納袋の前記開口部内に挿入される挿入板と、前記挿入板から一方の側に立ち上がる一対のガイド板と、を有し、
前記挿入板は、前記被収納物を挿入する向きに先細りとなる第１先端部を有して形成され、
前記係合部は、前記一対のガイド板間に配置され、前記被収納物を挿入する向きとは逆向きに先細りとなる第２先端部を有する係合板からなり、
前記係合板は、前記第２先端部に近づくにつれて前記挿入板との離間距離が次第に大きくなっている
ことを特徴とする請求項１または２に記載の封入治具。
【請求項５】
前記収納袋装着部は、前記収納袋の前記開口部内に挿入される挿入板と、前記挿入板から一方の側に立ち上がる一対のガイド板と、を有し、
前記挿入板は、前記被収納物を挿入する向きに先細りとなる第１先端部を有して形成され、
前記係合部は、前記挿入板に対して他方の側に配置され、前記被収納物を挿入する向きとは逆向きに先細りとなる第２先端部を有する係合板からなり、
前記係合板は、前記第２先端部に近づくにつれて前記挿入板との離間距離が次第に大きくなっている
ことを特徴とする請求項１または２に記載の封入治具。
【請求項６】
前記収納袋装着部は、前記収納袋の前記開口部内に挿入される挿入板と、前記挿入板から一方の側に立ち上がる一対のガイド板と、を有し、
前記挿入板は、前記被収納物を挿入する向きに先細りとなる第１先端部を有して形成され、
前記係合部は、前記挿入板に対して一方の側に配置され、前記被収納物を挿入する向きとは逆向きに先細りとなる第２先端部を有する係合板からなり、
前記係合板は、前記第２先端部に近づくにつれて前記挿入板との離間距離が次第に小さくなっている
ことを特徴とする請求項１または２に記載の封入治具。
【請求項７】
前記係合部は、前記一対のガイド板間に配置され、前記被収納物を挿入する向きに延出した支持板に支持されている
ことを特徴とする請求項６に記載の封入治具。
【請求項８】
前記支持板には貫通孔が設けられ、当該貫通孔から前記第２先端部を含む前記係合板の少なくとも一部が視認可能である
ことを特徴とする請求項７に記載の封入治具。
【請求項９】
前記一対のガイド板間に前記収納袋の前記開口部近傍を支持する支持部が設けられている
ことを特徴とする請求項３乃至８のいずれかに記載の封入治具。
【請求項１０】
請求項１に記載の封入治具を用いて前記被収納物を前記収納袋内に封入する方法であって、
前記収納袋装着部に、前記剥離片が前記係合部を乗り越えるように前記収納袋を装着する工程と、
前記挿入部に前記被収納物を挿入する工程と、
前記収納袋内まで前記被収納物を更に挿入する工程と、
前記収納袋を前記被収納物と共に前記収納袋装着部から引き抜く工程と、
を備え、
前記引き抜く工程において、前記係合部が前記剥離片に係合することにより、当該係合部が前記剥離片の少なくとも一部を前記収納袋の前記接着部から剥離させる
ことを特徴とする方法。
【発明の詳細な説明】
【技術分野】
【０００１】
本発明は、収納袋内に書類などの被収納物を封入するための封入治具に関する。
【背景技術】
【０００２】
従来より、書類などの被収納物を封入するに当たり、開口部を有する袋本体と開口部の縁部から延出する蓋片とを有し、この蓋片を折り返して当該蓋片の内面を袋本体の外面に重ね合わせて前記開口部を封止する収納袋であって、蓋片の内面と袋本体の外面のうちの一方に接着剤が塗布された接着部を有する収納袋が利用されている。接着部は、初期状態において、帯状の剥離片によって全体が覆われており、被収納物や他の収納袋などに不所望に貼り付かないようになっている。
【０００３】
このような収納袋に被収納物を封入する場合、封入作業を行う者は、当該収納袋の開口部を開けた状態で被収納物を収納袋内に挿入し（挿入工程）、接着部を覆っている剥離片を当該接着部から引き剥がし（剥離工程）、蓋片の内面と袋本体の外面との間で接着剤が挟み込まれるように当該蓋片を当該袋本体の外面に向かって折り返して開口部を封止する（封止工程）、という３つの工程を行う必要がある。これらの工程のうち、挿入工程においては、被収納物と開口部の縁部とが干渉しやすいため、迅速な作業が困難である。また、封入作業を行う者が手袋を装着して作業を行う場合も多く、この場合、剥離工程において、剥離片を把持して接着部から剥離させる、という作業は容易でない。
【０００４】
このような問題に対し、前記挿入工程を支援するための治具については、特許文献１で提案されている。図１７は、特許文献１に記載されている治具（袋詰具４１０）の概略斜視図である。図１７に示すように、この治具（袋詰具４１０）は、野菜を袋詰用袋内に挿入するためのものであり、筒部分４２２と、筒部分４２２から一方の側に延在し、上方に開いた導入部分４２４を有する受桶４２０と、受桶４２０を所定の高さで略水平に支持する支持台４３０と、を有している。この治具（袋詰具４１０）によれば、筒部分４２２に他方の側から収納袋（袋詰用袋）を被せた状態で、被収納物（野菜）を導入部分４２４から筒部分４２２を経て袋詰用袋内へと摺動させることにより、野菜を容易に袋詰用袋内に挿入することができる。その後、野菜が挿入された袋詰用袋が筒部分４２２から取り外される。
【先行技術文献】
【特許文献】
【０００５】
【特許文献１】実用新案登録第３０８５８５６号
【発明の概要】
【発明が解決しようとする課題】
【０００６】
しかしながら、特許文献１で提案されている治具は、収納袋の剥離片に係合可能な部材を有しない構成となっているため、当該剥離片を接着部から引き剥がす工程を支援することができない。このため、開口部近傍に剥離片が設けられている収納袋に被収納物を封入する場合には、封入作業を行う者が当該剥離片を接着部から手作業にて引き剥がす必要があり、依然として、手袋を装着した状態での作業が困難である。
【０００７】
本発明は、このような事情に基づいて行われたものであり、その目的は、剥離片で覆われた接着部を有する収納袋内に被収納物を挿入して開口部を蓋片で封止する際に、被収納物と開口部との干渉を回避して当該被収納物をスムーズに収納袋内に挿入することができると共に、封入作業を行う者が手袋を装着して作業をする場合であっても、剥離片の剥離作業を極めて迅速且つ容易に行うことができる封入治具を提供することである。
【課題を解決するための手段】
【０００８】
本発明は、開口部を有する袋本体とこの袋本体の前記開口部の縁部から延出する蓋片とを有し、前記蓋片を折り返して当該蓋片の内面を前記袋本体の外面に重ね合わせて前記開口部を封止する収納袋であって、前記蓋片の内面と前記袋本体の外面のうちの一方に、剥離片により覆われると共に前記蓋片を接着する接着部を設けた収納袋が装着され、当該収納袋内に被収納物を封入する封入治具において、前記被収納物が挿入される挿入部と、前記挿入部に連結され、前記収納袋が装着される収納袋装着部と、前記収納袋を前記収納袋装着部から取り外す際、前記剥離片に係合してこの剥離片を前記接着部から剥離する係合部と、を備えたことを特徴とする封入治具である。
【０００９】
このような封入治具は、前記挿入部、前記収納袋装着部及び前記係合部を支持する基材を更に備えていることが好ましい。
【００１０】
以上の封入治具において、好ましくは、前記収納袋装着部は、前記収納袋の前記開口内に挿入される挿入板と、前記挿入板から一方の側に立ち上がる一対のガイド板と、を有し、前記挿入板は、前記被収納物を挿入する向きに先細りとなる第１先端部を有して形成され、前記係合部は、前記挿入板に対して他方の側に配置され、前記被収納物を挿入する向きとは逆向きに先細りとなる第２先端部を有する係合板からなり、前記係合板は、前記第２先端部に近づくにつれて前記挿入板との離間距離が次第に小さくなっている。
【００１１】
あるいは、好ましくは、前記収納袋装着部は、前記収納袋の前記開口内に挿入される挿入板と、前記挿入板から一方の側に立ち上がる一対のガイド板と、を有し、前記挿入板は、前記被収納物を挿入する向きに先細りとなる第１先端部を有して形成され、前記係合部は、前記一対のガイド板間に配置され、前記被収納物を挿入する向きとは逆向きに先細りとなる第２先端部を有する係合板からなり、前記係合板は、前記第２先端部に近づくにつれて前記挿入板との離間距離が次第に大きくなっている。
【００１２】
あるいは、好ましくは、前記収納袋装着部は、前記収納袋の前記開口内に挿入される挿入板と、前記挿入板から一方の側に立ち上がる一対のガイド板と、を有し、前記挿入板は、前記被収納物を挿入する向きに先細りとなる第１先端部を有して形成され、前記係合部は、前記挿入板に対して他方の側に配置され、前記被収納物を挿入する向きとは逆向きに先細りとなる第２先端部を有する係合板からなり、前記係合板は、前記第２先端部に近づくにつれて前記挿入板との離間距離が次第に大きくなるように湾曲されている。
【００１３】
あるいは、好ましくは、前記収納袋装着部は、前記収納袋の前記開口部内に挿入される挿入板と、前記挿入板から一方の側に立ち上がる一対のガイド板と、を有し、前記挿入板は、前記被収納物を挿入する向きに先細りとなる第１先端部を有して形成され、前記係合部は、前記挿入板に対して一方の側に配置され、前記被収納物を挿入する向きとは逆向きに先細りとなる第２先端部を有する係合板からなり、前記係合板は、前記第２先端部に近づくにつれて前記挿入板との離間距離が次第に小さくなっている。
【００１４】
この場合、好ましくは、前記係合部は、前記一対のガイド板間に配置され、前記被収納物を挿入する向きに延出した支持板に支持されている。
【００１５】
この場合、前記支持板には貫通孔が設けられ、当該貫通孔から前記第２先端部を含む前記係合板の少なくとも一部が視認可能であることが好ましい。
【００１６】
また、好ましくは、前記一対のガイド板間に前記収納袋の前記開口部近傍を支持する支持部が設けられている。
【００１７】
前記封入治具を用いて、被収納物を前記収納袋内に封入する方法も、本発明の範囲内である。すなわち、本方法は、前記収納袋装着部に、前記剥離片が前記係合部を乗り越えるように前記収納袋を装着する工程と、前記挿入部に前記被収納物を挿入する工程と、前記収納袋内まで前記被収納物を更に挿入する工程と、前記収納袋を前記被収納物と共に前記収納袋装着部から引き抜く工程とを備え、前記引き抜く工程において、前記係合部が前記剥離片に係合することにより、当該係合部が前記剥離片の少なくとも一部を前記収納袋の前記接着部から剥離させることを特徴とする。
【発明の効果】
【００１８】
本発明によれば、剥離片で覆われた接着部を有する収納袋内に被収納物を挿入し、開口部を蓋片で封止する際に、被収納物と開口部との干渉を回避して当該被収納物をスムーズに収納袋内に挿入することができると共に、封入作業を行う者が手袋を装着して作業をする場合であっても、剥離片の剥離作業を極めて迅速且つ容易に行うことができる封入治具を提供することができる。
【図面の簡単な説明】
【００１９】
【図１】本発明の第１の実施の形態の封入治具の概略斜視図である。
【図２】図１の封入治具の概略平面図である。
【図３】図１の封入治具の概略側面図である。
【図４】図１の封入治具に装着される収納袋の概略斜視図である。
【図５】図１の封入治具の作用を説明するための図である。図５（Ａ）は、収納袋装着部に収納袋が装着される様子を示す図であり、図５（Ｂ）は、挿入部に被収納物が挿入される様子を示す図であり、図５（Ｃ）は、被収納物が収納袋内にスライドされる様子を示す図であり、図５（Ｄ）は、収納袋装着部から被収納物が挿入された収納袋が取り外される様子を示す図であり、図５（Ｅ）は、収納袋装着部から被収納物が挿入された収納袋が取り外された後の様子を示す図である。
【図６】本発明の第２の実施の形態の封入治具の概略平面図である。
【図７】図６の封入治具の概略側面図である。
【図８】図６の封入治具の作用を説明するための図である。図８（Ａ）は、収納袋装着部に収納袋が装着される様子を示す図であり、図８（Ｂ）は、挿入部に被収納物が挿入される様子を示す図であり、図８（Ｃ）は、被収納物が収納袋内にスライドされる様子を示す図であり、図８（Ｄ）は、収納袋装着部から被収納物が挿入された収納袋が取り外される様子を示す図であり、図８（Ｅ）は、収納袋装着部から被収納物が挿入された収納袋が取り外された後の様子を示す図である。
【図９】本発明の第３の実施の形態の封入治具の概略平面図である。
【図１０】図９の封入治具の概略側面図である。
【図１１】図９の封入治具の作用を説明するための図である。図１１（Ａ）は、収納袋装着部に収納袋が装着される様子を示す図であり、図１１（Ｂ）は、挿入部に被収納物が挿入される様子を示す図であり、図１１（Ｃ）は、被収納物が収納袋内にスライドされる様子を示す図であり、図１１（Ｄ）は、収納袋装着部から被収納物が挿入された収納袋が取り外される様子を示す図であり、図１１（Ｅ）は、収納袋装着部から被収納物が挿入された収納袋が取り外された後の様子を示す図である。
【図１２】本発明の第４の実施の形態の封入治具の概略平面図である。
【図１３】図１２の封入治具の概略側面図である。
【図１４】図１２の封入治具の作用を説明するための図である。図１４（Ａ）は、収納袋装着部に収納袋が装着される様子を示す図であり、図１４（Ｂ）は、挿入部に被収納物が挿入される様子を示す図であり、図１４（Ｃ）は、被収納物が収納袋内にスライドされる様子を示す図であり、図１４（Ｄ）は、収納袋装着部から被収納物が挿入された収納袋が取り外される様子を示す図であり、図１４（Ｅ）は、収納袋装着部から被収納物が挿入された収納袋が取り外された後の様子を示す図である。
【図１５】本発明の第４の実施の形態の変形例による封入治具を示す概略斜視図である。
【図１６】図１５の封入治具を示す概略側面図である。
【図１７】特許文献１に記載されている治具の概略斜視図である。
【発明を実施するための形態】
【００２０】
以下に、添付の図面を参照して本発明の実施の形態を詳細に説明する。
【００２１】
図１は、本発明の第１の実施の形態の封入治具１００の概略斜視図であり、図２は、図１の封入治具１００の概略平面図であり、図３は、図１の封入治具１００の概略側面図である。
【００２２】
図１乃至図３に示すように、本実施の形態の封入治具１００は、書類などの被収納物が挿入される挿入部１０と、挿入部１０に連結され、後述される収納袋６０（図４参照）が装着される収納袋装着部２０と、平面視で収納袋装着部２０と部分的に重なるように当該収納袋装着部２０の下方に配置された係合部３０と、を備えている。
【００２３】
図１乃至図３に示すように、本実施の形態では、挿入部１０、収納袋装着部２０及び係合部３０は、樹脂製の基材４０によって支持されている。この基材４０は、全体として矩形の平板であるが、挿入部１０及び収納袋装着部２０を支持している部分は、係合部３０を支持している部分の約２倍の厚みを有している。このことにより、図３に示すように、収納袋装着部２０の基材４０側の面と当該基材４０との間に隙間が形成されている。
【００２４】
図１及び図２に示すように、本実施の形態の挿入部１０は、基板１１と基板１１の両側部から一方の側（図１における上側、図２における手前側）に略垂直に立ち上がる一対の側板１２とを有している。本実施の形態では、金属製の薄板の両側部が一方の側に略直角に折り曲げられることにより、基板１１と一対の側板１２とが一体成形されている。また、一対の側板１２間の離間距離によって規定される挿入部１０の幅が、被収納物の挿入方向（図１における左下方向、図２及び図３における左方向）に向かって次第に減少している。
【００２５】
図１乃至図３に示すように、本実施の形態の収納袋装着部２０は、収納袋６０が装着された際に当該収納袋６０の開口部６２から袋本体６１内に部分的に挿入される挿入板２１と、挿入板２１から一方の側に立ち上がる一対のガイド板２２と、を有している。本実施の形態では、金属製の薄板の両側部が一方の側に略直角に折り曲げられることによって、挿入板２１と一対のガイド板２２とが一体的に形成されている。図３に示すように、本実施の形態の一対のガイド板２２は、側面視で被収納物の挿入方向に向かって次第に先細りとなる形状を有している。また、図１乃至図３に示すように、当該一対のガイド板２２は、挿入部１０の一対の側板１２と連続している。
【００２６】
また、図１及び図２に示すように、収納袋装着部２０の挿入板２１は、平面視で被収納物の挿入方向に向かって次第に先細りとなっており、角が丸められた第１先端部２３を有して形成されている。本実施の形態の封入治具１００の大部分は、図２に示すように、平面視で軸線に関して対称（図２においては横方向の軸線に関して対称）に構成されているが、第１先端部２３は、当該軸線から被収納物の挿入方向に見て右側（図２における上側）に偏って設けられている。これは、封入作業を行う者が右利きである場合に、すなわち、左側から収納袋６０を収納袋装着部２０に装着し右側から被収納物を挿入部１０に挿入する場合に、封入作業をよりスムーズに行えるようにするためである。すなわち、封入治具１００を、封入作業を行う者の正面に設置した場合に、第１先端部２３が当該封入作業を行う者からある程度離れていた方が、作業時に窮屈さを感じることなく、収納袋６０をスムーズに収納袋装着部２０に装着することができる。
【００２７】
更に、一対のガイド板２２の間には、収納袋装着部２０に収納袋６０が装着された際に、当該収納袋６０内に位置して開口部６２近傍を内側から支持し、当該開口部６２が開いた状態を維持するための支持部２４が設けられている。図１及び図２に示すように、本実施の形態の支持部２４は、金属製の矩形の支持プレート２５と、この支持プレート２５の一方の側の面（図１における上方の面、図２における手前側の面）に固定された樹脂製の可撓性を有する薄板２６と、を有している。支持プレート２５は、両端部が他方の側にほぼ直角に折り曲げられた折り曲げ部２７を有しており、この折り曲げ部２７が一対のガイド板２２に固定されている。また、薄板２６は、支持プレート２５を超えて、一対のガイド板２２の縁部の傾斜に沿うように第１先端部２３に向かって延びている。
【００２８】
また、図１乃至図３に示すように、本実施の形態の係合部３０は、挿入板２１の他方の側（図２における奥側、図３における下側）に配置された係合板３１を含んでいる。この係合板３１の挿入部１０側の端部は、角が丸められた第２先端部３２となっている。本実施の形態の係合板３１は、図１及び図２に示すように、五角形の形状を有しており、当該五角形を構成する頂点のうちの２つが基材４０の短辺の両端の角部に一致している。また、これら２つの頂点に隣接する２つの頂点は、角が丸められており、基材４０の２つの長辺上に各１つずつ位置している。残りの１つの頂点、すなわち第２先端部３２は、封入治具１００の対称軸線上に存在している。また、第２先端部３２の近傍は、図３に示すように、挿入板２１と基材４０との間の隙間に入り込んでいると共に、第２先端部３２に近づくにつれて係合板３１と挿入板２１との間の離間距離が次第に小さくなるように湾曲されている。
【００２９】
次に、図４は、図１の封入治具１００に装着される収納袋６０の概略斜視図である。図４に示すように、本実施の形態の封入治具１００に装着される収納袋６０は、開口部６２を有する袋本体６１とこの袋本体６１の開口部６２の縁部から延出する蓋片６３とを有している。この収納袋６０には、蓋片６３が折り返されて当該蓋片６３の内面が袋本体６１の外面に重ね合わせられた際に、蓋片６３を袋本体６１に接着して前記開口部６２を封止するための接着部６５が設けられている。この接着部６５は、図４に示すように、袋本体６１の外面に設けられており、剥離片６４により覆われている。
【００３０】
次に、図５を参照して、本実施の形態の封入治具１００の作用について説明する。
【００３１】
図５は、図１の封入治具１００の作用を説明するための図であり、図５（Ａ）は、収納袋装着部２０に収納袋６０が装着される様子を示す図であり、図５（Ｂ）は、挿入部１０に被収納物Ｗが挿入される様子を示す図であり、図５（Ｃ）は、被収納物Ｗが収納袋６０内にスライドされる様子を示す図であり、図５（Ｄ）は、収納袋装着部２０から被収納物Ｗが挿入された収納袋６０が取り外される様子を示す図であり、図５（Ｅ）は、収納袋装着部２０から被収納物Ｗが挿入された収納袋６０が取り外された後の様子を示す図である。
【００３２】
本実施の形態の封入治具１００の使用に先立ち、封入作業を行う者が例えば右利きである場合には、挿入部１０が右側に位置し収納袋装着部２０及び係合部３０が左側に位置するように、封入治具１００が設置される。
【００３３】
そして、図５（Ａ）に示すように、収納袋６０の接着部６５及び剥離片６４が基材４０側に向けられた姿勢で、収納袋６０を収納袋装着部２０に第１先端部２３の側（図５（Ａ）における左側）から近接させ、当該第１先端部２３を開口部６２から袋本体６１内に入り込ませる。そして、挿入板２１の上方に位置している蓋片６３を支持プレート２５に固定された薄板２６の上方に位置させ、収納袋６０を更に収納袋装着部２０の方へと移動させる。この時、薄板２６が収納袋６０の装着方向(図５（Ａ）における右方向）に向かって挿入板２１との離間距離が大きくなるように傾斜していることにより、収納袋６０の開口部６２が次第に大きく開けられる。収納袋６０の収納袋装着部２０への装着が完了すると、剥離片６４は、係合板３１の第２先端部３２よりも挿入部１０側（図５（Ａ）における右側）に位置される。
【００３４】
そして、図５（Ｂ）に示すように、挿入部１０に、収納袋６０内に封入されるべき被収納物Ｗが挿入される。
【００３５】
そして、図５（Ｃ）に示すように、収納袋６０が収納袋装着部２０から外れないようにするべく、封入作業を行っている者によって例えば蓋片６３が支持プレート２５に押し当てられつつ、被収納物Ｗが収納袋６０内へとスライドされる。この時、一対の側板１２及び一対のガイド板２２によって、被収納物Ｗの姿勢（向き）が整えられる。このことは、特に、一対の側板１２によって規定されている挿入部１０の幅が被収納物Ｗの挿入方向に向かって次第に狭くなるように構成されていることによって、実現される。
【００３６】
そして、図５（Ｄ）に示すように、例えば、収納袋６０の開口部６２とは反対側の端部領域が把持されると共に、袋本体６１の開口部近傍が挿入板２１に向かって（図５（Ｄ）における下方に向かって）適度に押圧された状態で、収納袋６０が被収納物Ｗと共に収納袋装着部２０から引き抜かれる。この時、前記押圧によって挿入板２１がわずかに係合板３１側に撓み、当該係合板３１の第２先端部３２が袋本体６１の外面に押し当てられることにより、収納袋６０の引き抜きの際に第２先端部３２が接着部６５と剥離片６４との間に確実に入り込んで剥離片６４に係合する。そして、収納袋６０が収納袋装着部２０から更に引き抜かれると、本実施の形態において採用されている係合板３１の形状から、接着部６５と剥離片との間に入り込んでいる係合板３１の幅が増大する。すなわち、接着部６５から剥離されている剥離片６４の領域が、次第に増大する。
【００３７】
以上のようにして収納袋６０を収納袋装着部２０から引き抜くと、最終的には、図５（Ｅ）に示すように、収納袋６０の幅方向におけるいずれか一方の端部を含む大部分の領域において、剥離片６４が接着部６５から剥離される。その後、剥離片６４は、接着部６５から剥離された部分が封入作業を行っている者によって把持され、当該接着部６５から完全に剥離される。これにより、袋本体６１の外面に設けられた接着部６５が完全に露出される。
【００３８】
そして、蓋片６３が折り返され、当該蓋片６３の内面が袋本体６１の接着部２５に重ね合わせられることにより、開口部６２が封止される。
【００３９】
以上のような本実施の形態によれば、剥離片６４で覆われた接着部６５を有する収納袋６０内に被収納物Ｗを挿入し、開口部６２を蓋片６３で封止する際に、被収納物Ｗと開口部６２との干渉を回避して当該被収納物Ｗをスムーズに収納袋６０内に挿入することができると共に、封入作業を行う者が手袋を装着して作業をする場合であっても、剥離片６４の剥離作業を極めて迅速且つ容易に行うことができる。
【００４０】
また、本実施の形態の封入治具１００は、挿入部１０、収納袋装着部２０及び係合部３０（係合板３１）を支持する基材４０を備えているため、当該封入治具１００を安定的に使用することができる。
【００４１】
また、本実施の形態において、収納袋装着部２０は、開口部６２から袋本体６１内に挿入される挿入板２１と、挿入板２１から一方の側に立ち上がる一対のガイド板２２と、を有し、当該挿入板２１は、平面視で被収納物Ｗの挿入方向に向かって先細りとなる第１先端部２３を有して形成され、係合部３０は、挿入板２１の他方の側に配置され、平面視で被収納物Ｗの挿入方向とは逆方向に向かって先細りとなる第２先端部３２を有する係合板３１からなり、この係合板３１は、第２先端部３２に近づくにつれて挿入板２１との離間距離が次第に小さくなるように湾曲されている。このため、袋本体６１側に接着部６５及び剥離片６４が設けられているタイプの収納袋６０内に被収納物Ｗが挿入され、当該収納袋６０が収納袋装着部２０から引き抜かれる際に、係合板３１の第２先端部３２が剥離片６４に確実に係合し、当該剥離片６４を接着部６５から剥離させることができる。
【００４２】
更に、一対のガイド板２２間に収納袋６０の開口部６２近傍を内側から支持する支持部２４が設けられているため、収納袋６０を収納袋装着部２０に装着した際に当該収納袋６０の開口部６２が開いた状態が容易に維持され、被収納物Ｗを収納袋６０内に容易に挿入することができる。
【００４３】
次に、本発明の第２の実施の形態の封入治具２００について説明する。
【００４４】
図６は、本発明の第２の実施の形態の封入治具２００の概略平面図であり、図７は、図６の封入治具２００の概略側面図である。図６及び図７に示すように、本実施の形態の封入治具２００は、被収納物Ｗが挿入される挿入部２１０と、挿入部２１０に連結され、収納袋２６０（図８参照）が装着される収納袋装着部２２０と、収納袋装着部２２０に固定された係合部２３０と、を備えている。
【００４５】
図６及び図７に示すように、本実施の形態の収納袋装着部２２０は、収納袋２６０が装着された際に当該収納袋２６０の開口部２６２から袋本体２６１内に部分的に挿入される挿入板２２１と、挿入板２２１から一方の側（図６における手前側、図７における上側）に立ち上がる一対のガイド板２２２と、を有している。本実施の形態においても、金属製の薄板の両側部が一方の側に略直角に折り曲げられることによって、挿入板２２１と一対のガイド板２２２とが一体成形されている。
【００４６】
図６及び図７に示すように、本実施の形態の係合部２３０は、二等辺三角形の形状を有する係合板２３１から構成されており、底辺領域が一対のガイド板２２２間に架け渡された状態で、当該一対のガイド板２２２に固定されている。また、この係合板２３１は、前記二等辺三角形の頂角に対応する第２先端部２３２が被収納物Ｗの挿入方向とは逆方向を向いており、前記底辺領域から第２先端部２３２に向かって、挿入板２２１との離間距離が次第に大きくなるように湾曲されている。
【００４７】
また、本実施の形態の封入治具２００も、挿入部２１０、収納袋装着部２２０及び係合部２３０（係合板２３１）を支持する基材２４０を備えている。但し、前述の通り、本実施の形態の係合板２３１は収納袋装着部２２０に固定されているため、挿入部２１０及び収納袋装着部２２０のみが直接的に基材２４０に支持（固定）されている。その他の構成は、第１の実施の形態の封入治具１００と略同様である。図６及び図７において、第１の実施の形態と同様の構成部分には同様の符号を付し、その詳細な説明は省略する。
【００４８】
次に、図８を参照して、本実施の形態の封入治具２００の作用について説明する。図８は、図６の封入治具２００の作用を説明するための図であり、図８（Ａ）は、収納袋装着部２２０に収納袋２６０が装着される様子を示す図であり、図８（Ｂ）は、挿入部２１０に被収納物Ｗが挿入される様子を示す図であり、図８（Ｃ）は、被収納物Ｗが収納袋２６０内にスライドされる様子を示す図であり、図８（Ｄ）は、収納袋装着部２２０から被収納物Ｗが挿入された収納袋２６０が取り外される様子を示す図であり、図８（Ｅ）は、収納袋装着部２２０から被収納物Ｗが挿入された収納袋２６０が取り外された後の様子を示す図である。
【００４９】
本実施の形態の封入治具２００は、第１の実施の形態の封入治具１００とは異なり、蓋片２６３の内面に接着部２６５及び剥離片２６４が設けられているタイプの収納袋２６０に被収納物Ｗを封入する際に使用される。
【００５０】
まず、本実施の形態の封入治具２００の使用に先立ち、封入作業を行う者が例えば右利きである場合には、挿入部２１０が右側に位置し収納袋装着部２２０が左側に位置するように、封入治具２００が設置される。
【００５１】
そして、図８（Ａ）に示すように、収納袋２６０の接着部２６５及び剥離片２６４が基材２４０側（図８（Ａ）における下側）に向けられた姿勢で、収納袋２６０を収納袋装着部２２０に第１先端部２２３側（図８（Ａ）における左側）から近接させ、当該第１先端部２２３を開口部２６２から袋本体２６１内に入り込ませる。そして、挿入板２２１の上方に位置している蓋片２６３を支持プレート２２５に固定された薄板２２６の上方に位置させ、収納袋２６０を更に収納袋装着部２２０の方へと移動させる。この時、薄板２２６が収納袋２６０の装着方向（図８（Ａ）における右側）に向かって挿入板２２１との離間距離が大きくなるように傾斜していることにより、収納袋２６０の開口部２６２が次第に大きく開けられる。本実施の形態においては、収納袋２６０の収納袋装着部２２０への装着が完了すると、剥離片２６４は、係合板２３１の第２先端部２３２よりも挿入部２１０側（図８（Ａ）における右側）に位置される。
【００５２】
そして、図８（Ｂ）に示すように、挿入部２１０に、収納袋２６０内に封入されるべき被収納物Ｗが挿入される。
【００５３】
そして、図８（Ｃ）に示すように、収納袋２６０が収納袋装着部２２０から外れないようにするべく、封入作業を行っている者によって例えば蓋片２６３が支持プレート２２５に押し当てられつつ、被収納物Ｗが収納袋２６０内へとスライドされる。この時、第１の実施の形態と同様に、一対の側板２１２及び一対のガイド板２２２によって、被収納物Ｗの姿勢（向き）が整えられる。
【００５４】
そして、図８（Ｄ）に示すように、例えば、収納袋２６０の開口部２６２とは反対側の端部領域が把持されると共に、蓋片２６３が係合板２３１に対して適度に押圧された状態で、収納袋２６０が被収納物Ｗと共に収納袋装着部２２０から引き抜かれる。この時、前記押圧によって蓋片２６３の内面が係合板２３１の第２先端部２３２に押し当てられることにより、収納袋２６０の引き抜きの際に第２先端部２３２が蓋片２６３の接着部２６５と剥離片２６４との間に確実に入り込んで剥離片２６４に係合する。そして、収納袋２６０が収納袋装着部２２０から更に引き抜かれると、本実施の形態において採用されている係合板２３１の形状から、接着部２６５と剥離片２６４との間に入り込んでいる係合板２３１の幅が増大する。すなわち、剥離片２６４の接着部２６５から剥離されている領域が次第に増大する。
【００５５】
以上のようにして収納袋２６０を収納袋装着部２２０から引き抜くと、最終的には、図８（Ｅ）に示すように、収納袋２６０の幅方向におけるいずれか一方の端部を含む大部分の領域において、剥離片２６４が接着部２６５から剥離される。その後、剥離片２６４は、接着部２６５から剥離された部分が封入作業を行っている者によって把持され、当該接着部２６５から完全に剥離される。これにより、蓋片２６３の内面に設けられた接着部２６５が完全に露出される。
【００５６】
そして、蓋片２６３が折り返され、当該蓋片２６３の接着部２６５が袋本体２６１の外面に重ね合わせられることにより、開口部２６２が封止される。
【００５７】
以上のような本実施の形態によっても、剥離片２６４で覆われた接着部２６５を有する収納袋２６０内に被収納物Ｗを挿入し、開口部２６２を蓋片２６３で封止する際に、被収納物Ｗと開口部２６２との干渉を回避して当該被収納物Ｗをスムーズに収納袋２６０内に挿入することができると共に、封入作業を行う者が手袋を装着して作業をする場合であっても、剥離片２６４の剥離作業を極めて迅速且つ容易に行うことができる。
【００５８】
また、本実施の形態の封入治具２００は、挿入部２１０、収納袋装着部２２０及び係合部２３０（係合板２３１）を支持する基材２４０を備えているため、当該封入治具２００を安定的に使用することができる。
【００５９】
また、本実施の形態において、収納袋装着部２２０は、開口部２６２から袋本体２６１内に挿入される挿入板２２１と、挿入板２２１から一方の側に立ち上がる一対のガイド板２２２と、を有し、当該挿入板２２１は、平面視で被収納物Ｗの挿入方向に向かって先細りとなる第１先端部２２３を有して形成され、係合部２３０は、一対のガイド板２２２間に架け渡され、平面視で被収納物Ｗの挿入方向とは逆方向に向かって先細りとなる第２先端部２３２を有する係合板２３１からなり、この係合板２３１は、第２先端部２３２に近づくにつれて挿入板２２１との離間距離が次第に大きくなるように湾曲されている。このため、蓋片２６３の内面に接着部２６５及び剥離片２６４が設けられているタイプの収納袋２６０内に被収納物Ｗが挿入され、当該収納袋２６０が収納袋装着部２２０から引き抜かれる際に、係合板２３１の第２先端部２３２が剥離片２６４に確実に係合し、当該剥離片２６４を接着部２６５から剥離させることができる。
【００６０】
更に、一対のガイド板２２２間に収納袋２６０の開口部２６２近傍を内側から支持する支持部２２４が設けられているため、収納袋２６０を収納袋装着部２２０に装着した際に当該収納袋２６０の開口部２６２が開いた状態が容易に維持され、被収納物Ｗを収納袋２６０内に容易に挿入することができる。
【００６１】
次に、本発明の第３の実施の形態の封入治具３００について説明する。
【００６２】
図９は、本発明の第３の実施の形態の封入治具３００の概略平面図であり、図１０は、図９の封入治具３００の概略側面図である。図９及び図１０に示すように、本実施の形態の封入治具３００は、被収納物Ｗが挿入される挿入部３１０と、挿入部３１０に連結され、収納袋３６０（図１１参照）が装着される収納袋装着部３２０と、収納袋装着部３２０に固定された係合部３３０と、を備えている。
【００６３】
図９及び図１０に示すように、本実施の形態の収納袋装着部３２０は、収納袋３６０が装着された際に当該収納袋３６０の開口部３６２から袋本体３６１内に部分的に挿入される挿入板３２１と、挿入板３２１から一方の側（図９における手前側、図１０における上側）に立ち上がる一対のガイド板３２２と、を有している。本実施の形態においても、金属製の薄板の両側部が一方の側に略直角に折り曲げられることによって、挿入板３２１と一対のガイド板３２２とが一体成形されている。
【００６４】
図９及び図１０に示すように、本実施の形態の係合部３３０は、第２の実施の形態と同様に二等辺三角形の形状を有する係合板３３１から構成されているが、その取付態様が第２の実施の形態とは異なっている。具体的には、本実施の形態の係合板３３１は、前記二等辺三角形の頂角に対応する第２先端部３３２が被収納物Ｗの挿入方向とは逆方向に向けられた状態で底辺領域が挿入板３２１の他方の側（図９における奥側、図１０における下側）の面に固定されており、当該底辺領域から第２先端部３３２に向かって挿入板３２１との離間距離が次第に大きくなるように湾曲されている。
【００６５】
また、本実施の形態の封入治具３００も、挿入部３１０、収納袋装着部３２０及び係合部３３０（係合板３３１）を支持する基材３４０を備えている。但し、第２の実施の形態と同様に、本実施の形態の係合板３３１は収納袋装着部３２０に固定されているため、挿入部３１０及び収納袋装着部３２０のみが、直接的に基材３４０に支持（固定）されている。その他の構成は、第１及び第２の実施の形態の封入治具１００、２００と略同様である。図９及び図１０において、第１及び第２の実施の形態と同様の構成部分には同様の符号を付し、その詳細な説明は省略する。
【００６６】
次に、図１１を参照して、本実施の形態の封入治具３００の作用について説明する。図１１は、図９の封入治具３００の作用を説明するための図であり、図１１（Ａ）は、収納袋装着部３２０に収納袋３６０が装着される様子を示す図であり、図１１（Ｂ）は、挿入部３１０に被収納物Ｗが挿入される様子を示す図であり、図１１（Ｃ）は、被収納物Ｗが収納袋３６０内にスライドされる様子を示す図であり、図１１（Ｄ）は、収納袋装着部３２０から被収納物Ｗが挿入された収納袋３６０が取り外される様子を示す図であり、図１１（Ｅ）は、収納袋装着部３２０から被収納物Ｗが挿入された収納袋３６０が取り外された後の様子を示す図である。
【００６７】
本実施の形態の封入治具３００は、第２の実施の形態と同様に、蓋片３６３の内面に接着部３６５及び剥離片３６４が設けられているタイプの収納袋３６０に被収納物Ｗを封入する際に、使用される。但し、本実施の形態は、収納袋３６０の接着部３２５及び剥離片３６４が上に向けられた状態で当該収納袋３６０が収納袋装着部３２０に装着される点で、第２の実施の形態とは異なっている。
【００６８】
まず、本実施の形態の封入治具３００の使用に先立ち、封入作業を行う者が例えば右利きである場合には、挿入部３１０が右側に位置し収納袋装着部３２０が左側に位置するように、封入治具３００が設置される。
【００６９】
そして、図１１（Ａ）に示すように、収納袋３６０の接着部３６５及び剥離片３６４が基材３４０とは反対側（図１１（Ａ）における上側）に向けられた姿勢で、収納袋３６０を収納袋装着部３２０に第１先端部３２３側（図１１（Ａ）おける左側）から近接させ、当該第１先端部３２３を開口部３６２から袋本体３６１内に入り込ませる。そして、挿入板３２１の上方に位置している開口部３６２の縁部を支持プレート３２５に固定された薄板３２６の上方に位置させ、収納袋３６０を更に収納袋装着部３２０の方へと移動させる。この時、薄板３２６が収納袋３６０の装着方向（図１１（Ａ）における右側）に向かって、挿入板３２１との離間距離が大きくなるように傾斜していることにより、収納袋３６０の開口部３６２が次第に大きく開けられる。本実施の形態においては、収納袋３６０の収納袋装着部３２０への装着が完了すると、剥離片３６４は、係合板３３１の第２先端部３３２よりも挿入部３１０側（図１１（Ａ）における右側）に位置される。
【００７０】
そして、図１１（Ｂ）に示すように、挿入部３１０に、収納袋３６０内に封入されるべき被収納物Ｗが挿入される。
【００７１】
そして、図１１（Ｃ）に示すように、収納袋３６０が収納袋装着部３２０から外れないようにするべく、封入作業を行っている者によって例えば蓋片３６３が支持プレート３２５に押し当てられつつ、被収納物Ｗが収納袋３６０内へとスライドされる。この時、第１及び第２の実施の形態と同様に、一対の側板３１２及び一対のガイド板３２２によって、被収納物Ｗの姿勢（向き）が整えられる。
【００７２】
そして、図１１（Ｄ）に示すように、例えば、収納袋３６０の開口部３６２とは反対側の端部領域が把持されると共に、蓋片３６３を係合板３３１に対して適度に押圧させるべく、収納袋３６０が上方に適度に持ち上げられつつ、収納袋３６０が被収納物Ｗと共に収納袋装着部３２０から引き抜かれる。この時、前記持ち上げによって蓋片３６３の内面が係合板３３１の第２先端部３３２に押し当てられることにより、収納袋３６０の引き抜きの際に第２先端部３３２が蓋片３６３の接着部３６５と剥離片３６４との間に確実に入り込んで剥離片３６４に係合する。
【００７３】
以上のようにして収納袋３６０を収納袋装着部３２０から引き抜くと、最終的には、図１１（Ｅ）に示すように、収納袋３６０の幅方向におけるいずれか一方の端部を含む大部分の領域において、剥離片３６４が接着部３６５から剥離される。その後、剥離片３６４は、接着部３６５から剥離された部分が封入作業を行っている者によって把持され、当該接着部３６５から完全に剥離される。これにより、蓋片２６３の内面に設けられた接着部３６５が完全に露出される。
【００７４】
そして、蓋片３６３が折り返され、当該蓋片３６３の接着部３６５が袋本体３６１の外面に重ね合わせられることにより、開口部３６２が封止される。
【００７５】
以上のような本実施の形態によっても、剥離片３６４で覆われた接着部３６５を有する収納袋３６０内に被収納物Ｗを挿入し、開口部３６２を蓋片３６３で封止する際に、被収納物Ｗと開口部３６２との干渉を回避して当該被収納物Ｗをスムーズに収納袋３６０内に挿入することができると共に、封入作業を行う者が手袋を装着して作業をする場合であっても、剥離片３６４の剥離作業を極めて迅速且つ容易に行うことができる。
【００７６】
また、本実施の形態の封入治具３００は、挿入部３１０、収納袋装着部３２０及び係合部３３０（係合板３３１）を支持する基材３４０を備えているため、当該封入治具３００を安定的に使用することができる。
【００７７】
また、本実施の形態において、収納袋装着部３２０は、開口部３６２から袋本体３６１内に挿入される挿入板３２１と、挿入板３２１から一方の側に立ち上がる一対のガイド板３２２と、を有し、当該挿入板３２１は、被収納物Ｗの挿入方向に向かって先細りとなる第１先端部３２３を有して形成され、係合部３３０は、挿入板３２１の他方の側において当該挿入板３２１に固定され、被収納物Ｗの挿入方向とは逆方向に向かって先細りとなる第２先端部３３２を有する係合板３３１からなり、係合板３３１は、第２先端部３３２に近づくにつれて挿入板３２１との離間距離が次第に大きくなるように湾曲されている。このため、蓋片３６３の内面に接着部３６５及び剥離片３６４が設けられているタイプの収納袋３６０内に被収納物Ｗが挿入され、当該収納袋３６０が収納袋装着部３２０から引き抜かれる際に、係合板３３１の第２先端部３３２が剥離片３６４に確実に係合し、当該剥離片３６４を接着部３６５から剥離させることができる。
【００７８】
更に、一対のガイド板３２２間に収納袋３６０の開口部３６２近傍を内側から支持する支持部３２４が設けられているため、収納袋３６０を収納袋装着部３２０に装着した際に当該収納袋３６０の開口部３６２が開いた状態が容易に維持され、被収納物Ｗを収納袋３６０内に容易に挿入することができる。
【００７９】
次に、本発明の第４の実施の形態の封入治具４００について説明する。
【００８０】
図１２は、本発明の第４の実施の形態の封入治具４００の概略平面図であり、図１３は、図１２の封入治具４００の概略側面図である。図１２及び図１３に示すように、本実施の形態の封入治具４００は、被収納物Ｗが挿入される挿入部４１０と、挿入部４１０に連結され、収納袋４６０（図１４参照）が装着される収納袋装着部４２０と、収納袋装着部４２０の一方の側（図１における手前側、図１３における上側）に当該収納袋装着部４２０から間隔が空けられて設けられた係合部４３０と、を備えている。
【００８１】
図１２及び図１３に示すように、本実施の形態の収納袋装着部４２０は、収納袋４６０が装着された際に当該収納袋４６０の開口部４６２から袋本体４６１内に部分的に挿入される挿入板４２１と、挿入板４２１から一方の側に立ち上がる一対のガイド板４２２と、を有し、挿入板４２１は、被収納物Ｗの収納方向に向かって先細りとなる第１先端部４２３を有して形成されている。本実施の形態においても、金属製の薄板の両側部が一方の側に略直角に折り曲げられることによって、挿入板４２１と一対のガイド板４２２とが一体成形されている。
【００８２】
本実施の形態の係合部４３０は、一対のガイド板４２２間に架け渡され、被収納物Ｗの収納方向に向かって延出した支持板４３１と、支持板４３１の挿入板４２０側（図１２における奥側、図１３における下側）に固定され、被収納物Ｗの挿入方向とは逆方向（図１２及び図１３における右側）に向かって先細りとなる第２先端部４３２を有する係合板４３３と、から構成されている。更に、図１３に示すように、係合板４３３は、第２先端部４３２に近づくにつれて挿入板４２１との離間距離が次第に小さくなっている。
【００８３】
また、図１２に示すように、本実施の形態の支持板４３１は、平面視で略矩形であり、その中央領域に矩形の貫通孔４３４が設けられている。この貫通孔４３４からは、第２先端部４３２を含む係合板４３３の一部が視認可能である。特には、本実施の形態の貫通孔４３４は、封入作業を行う者の指が当該貫通孔４３４を介して第２先端部４３２の近傍まで挿入され得る程度の寸法を有している。
【００８４】
本実施の形態の封入治具４００も、挿入部４１０、収納袋装着部４２０及び係合部４３０（係合板４３３）を支持する基材４４０を備えている。但し、本実施の形態の係合板４３３は、支持板４３１を介して一対のガイド板４２２に固定されているため、挿入部４１０のみが、直接的に基材４４０に支持（固定）されている。その他の構成は、第１〜第３の実施の形態の封入治具１００、２００、３００と略同様である。図１２及び図１３において、第１〜第３の実施の形態と同様の構成部分には同様の符号を付し、その詳細な説明は省略する。
【００８５】
次に、図１４を参照して、本実施の形態の封入治具４００の作用について説明する。図１４は、図１２の封入治具４００の作用を説明するための図であり、図１４（Ａ）は、収納袋装着部４２０に収納袋４６０が装着される様子を示す図であり、図１４（Ｂ）は、挿入部４１０に被収納物Ｗが挿入される様子を示す図であり、図１４（Ｃ）は、被収納物Ｗが収納袋４６０内にスライドされる様子を示す図であり、図１４（Ｄ）は、収納袋装着部４２０から被収納物Ｗが挿入された収納袋４６０が取り外される様子を示す図であり、図１４（Ｅ）は、収納袋装着部４２０から被収納物Ｗが挿入された収納袋４６０が取り外された後の様子を示す図である。
【００８６】
本実施の形態の封入治具４００は、第１の実施の形態と同様に、接着部４６５が袋本体４６１の外面に設けられたタイプの収納袋４６０に被収納物Ｗを封入する際に、使用される。但し、本実施の形態は、収納袋４６０の接着部４２５及び剥離片４６４が上に向けられた状態で当該収納袋４６０が収納袋装着部４２０に装着される点で、第１の実施の形態とは異なっている。
【００８７】
まず、本実施の形態の封入治具４００の使用に先立ち、封入作業を行う者が例えば右利きである場合には、挿入部４１０が右側に位置し収納袋装着部４２０が左側に位置するように、封入治具４００が設置される。
【００８８】
そして、図１４（Ａ）に示すように、収納袋４６０の接着部４６５及び剥離片４６４が基材４４０とは反対側（図１４（Ａ）における上側）に向けられた姿勢で、収納袋４６０を収納袋装着部４２０に第１先端部４２３側（図１４（Ａ）おける左側）から近接させ、当該第１先端部４２３を開口部４６２から袋本体４６１内に入り込ませる。そして、挿入板４２１の上方に位置している開口部４６２の縁部を支持プレート４２５に固定された薄板４２６の上方に位置させ、収納袋４６０を更に収納袋装着部４２０の方へと移動させる。この時、薄板４２６が収納袋４６０の装着方向（図１４（Ａ）における右側）に向かって、挿入板４２１との離間距離が大きくなるように傾斜していることにより、収納袋４６０の開口部４６２が次第に大きく開けられる。本実施の形態においては、収納袋４６０の収納袋装着部４２０への装着が完了すると、剥離片４６４は、係合板４３３の第２先端部４３２よりも挿入部４１０側（図１４（Ａ）における右側）に位置される。
【００８９】
そして、図１４（Ｂ）に示すように、挿入部４１０に、収納袋４６０内に封入されるべき被収納物Ｗが挿入される。
【００９０】
そして、図１４（Ｃ）に示すように、収納袋４６０が収納袋装着部４２０から外れないようにするべく、封入作業を行っている者によって例えば蓋片４６３が支持プレート４２５に押し当てられつつ、被収納物Ｗが収納袋４６０内へとスライドされる。この時、第１〜第３の実施の形態と同様に、一対の側板４１２及び一対のガイド板４２２によって、被収納物Ｗの姿勢（向き）が整えられる。
【００９１】
そして、図１４（Ｄ）に示すように、例えば、収納袋４６０の開口部４６２とは反対側の端部領域が把持されると共に、袋本体４６１の開口部４６２近傍の外面を係合板４３３に対して適度に押圧させるべく、収納袋４６０が上方に適度に持ち上げられつつ、収納袋４６０が被収納物Ｗと共に収納袋装着部４２０から引き抜かれる。この時、前記持ち上げによって係合板４３３の第２先端部４３２が袋本体４６１の外面に押し当てられることにより、収納袋４６０の引き抜きの際に第２先端部４３２が収納袋４６０の接着部４６５と剥離片４６４との間に確実に入り込んで剥離片４６４に係合する。そして、収納袋４６０が収納袋装着部４２０から更に引き抜かれると、本実施の形態において採用されている係合板４３３の形状から、接着部４６５と剥離片との間に入り込んでいる係合板４３３の幅が増大する。すなわち、接着部４６５から剥離されている剥離片４６４の領域が、次第に増大する。
【００９２】
以上のようにして収納袋４６０を収納袋装着部４２０から引き抜くと、最終的には、図１４（Ｅ）に示すように、収納袋４６０の幅方向におけるいずれか一方の端部を含む大部分の領域において、剥離片４６４が接着部４６５から剥離される。その後、剥離片４６４は、接着部４６５から剥離された部分が封入作業を行っている者によって把持され、当該接着部４６５から完全に剥離される。これにより、袋本体４６１の外面に設けられた接着部４６５が完全に露出される。
【００９３】
あるいは、収納袋４６０を収納袋装着部４２０から引き抜く過程で、剥離片４６４が接着部４６５から完全に剥離され、当該剥離片４６４が係合板４３３と支持板４３１との間に残留する場合がある。この場合には、係合板４３３に設けられた貫通孔４３４を介して、封入作業を行っている者によって、剥離片４６４が除去される。
【００９４】
そして、蓋片４６３が折り返され、当該蓋片４６３の内面が袋本体４６１の接着部４２５に重ね合わせられることにより、開口部４６２が封止される。
【００９５】
以上のような本実施の形態によっても、剥離片４６４で覆われた接着部４６５を有する収納袋４６０内に被収納物Ｗを挿入し、開口部４６２を蓋片４６３で封止する際に、被収納物Ｗと開口部４６２との干渉を回避して当該被収納物Ｗをスムーズに収納袋４６０内に挿入することができると共に、封入作業を行う者が手袋を装着して作業をする場合であっても、剥離片４６４の剥離作業を極めて迅速且つ容易に行うことができる。
【００９６】
また、本実施の形態の封入治具４００は、挿入部４１０、収納袋装着部４２０及び係合部４３０（係合板４３３）を支持する基材４４０を備えているため、当該封入治具４００を安定的に使用することができる。
【００９７】
また、収納袋装着部４２０は、収納袋４６０の開口部４６２内に挿入される挿入板４２１と、挿入板４２１から一方の側に立ち上がる一対のガイド板４２２と、を有し、挿入板４２１は、被収納物Ｗの収納方向に向かって先細りとなる第１先端部４２３を有して形成され、係合部４３０は、一対のガイド板４２２間に架け渡され、被収納物Ｗの収納方向に向かって延出した支持板４３１と、支持板４３１の挿入板４２１側に固定され、被収納物Ｗの挿入方向とは逆方向に向かって先細りとなる第２先端部４３２を有する係合板４３３と、からなり、係合板４３３は、第２先端部４３２に近づくにつれて挿入板４２１との離間距離が次第に小さくなっている。このため、袋本体４６１側に接着部４６５及び剥離片４６４が設けられているタイプの収納袋４６０内に被収納物Ｗが挿入され、当該収納袋４６０が収納袋装着部４２０から引き抜かれる際に、係合板４３１の第２先端部４３２が剥離片４６４に確実に係合し、当該剥離片４６４を接着部４６５から剥離させることができる。
【００９８】
更に、一対のガイド板４２２間に収納袋４６０の開口部４６２近傍を内側から支持する支持部４２４が設けられているため、収納袋４６０を収納袋装着部４２０に装着した際に当該収納袋４６０の開口部４６２が開いた状態が容易に維持され、被収納物Ｗを収納袋４６０内に容易に挿入することができる。
【００９９】
本実施の形態の支持板４３１には貫通孔４３４が設けられ、当該貫通孔から前記第２先端部４３２を含む係合板４３３の少なくとも一部が視認可能である。このため、当該剥離片４６４が係合板４３３と支持板４３１との間に残留した場合にも、貫通孔４３４を介して剥離片４６４を容易に除去することができる。
【０１００】
なお、以上の第４の実施の形態の封入治具４００においては、係合板４３３が一対のガイド板４２２間に架け渡された支持板４３１に支持されているが、このような形態には限られない。すなわち、接着部４６５が袋本体４６１の外面に設けられたタイプの収納袋４６０に対して好適に使用されるためには、係合板４３３の第２先端部４３２が挿入板４２１の上方において被収納物Ｗを挿入する向きとは逆向きに先細りとなるように、当該係合板４３３が配置されていればよい。このような封入治具の他の例が、図１５及び図１６に示されている。
【０１０１】
図１５は、本発明の第４の実施の形態の変形例による封入治具５００を示す概略斜視図であり、図１６は、図１５の封入治具５００を示す概略側面図である。図１５に示すように、本変形例の封入治具５００の係合板５３３は、一対のガイド板４２２の間ではなく、基材４４０から上方に立ち上がる一対の支持板５３１の上端に架け渡されている。この係合板５３３は、被収納物Ｗを挿入する方向とは逆向きに先細りとなる第２先端部５３２を有し、略五角形の形状となっている。係合板５３３は、全体として、挿入板４２１よりも被収納物Ｗの挿入方向側（図１５における左下側、図１６における左側）に設けられており、第２先端部５３２を含む先端領域が挿入板４２１の第１先端部４２３を含む先端領域の上方に重なるように位置している。また、第４の実施の形態と同様に、係合板５３３は、第２先端部５３２に近づくにつれて挿入板４２１との離間距離が次第に小さくなっている。この様子は、図１６に示されている。
【０１０２】
本変形例の挿入治具５００を用いて収納袋４６０に被収納物Ｗを挿入するには、まず第４の実施の形態と同様に、袋本体４６１の外面に設けられた接着部４６５及び剥離片４６４が上に向けられた状態で、当該収納袋４６０が収納袋装着部４２０に装着される。この時、収納袋４６０は、一対の支持板５３１、基材４４０及び係合板５３３によって囲まれた隙間Ｓを通されて収納袋装着部４２０に装着される点で、第４の実施の形態とは異なる。収納袋４６０が収納袋装着部４２０に装着された後の封入工程については、第４の実施の形態と略同様であるため、その詳細な説明は省略する。
【０１０３】
このような変形例によっても、剥離片４６４で覆われた接着部４６５を有する収納袋４６０内に被収納物Ｗを挿入し、開口部４６２を蓋片４６３で封止する際に、被収納物Ｗと開口部４６２との干渉を回避して当該被収納物Ｗをスムーズに収納袋４６０内に挿入することができると共に、封入作業を行う者が手袋を装着して作業をする場合であっても、剥離片４６４の剥離作業を極めて迅速且つ容易に行うことができる。
【０１０４】
なお、本発明は、以上の各実施の形態及び変形例に示された封入治具１００〜５００に限定されるものではない。とりわけ、係合板の支持形態については、封入治具１００〜５００において説明した形態以外にも種々の態様が考えられるが、収納袋を収納袋装着部から取り外す際に剥離片に係合して当該剥離片を接着部から剥離させるという係合板の機能を発揮しうる限り、本発明の範囲内である。
【符号の説明】
【０１０５】
１０  挿入部
１１  基板
１２  一対の側板
２０  収納袋装着部
２１  挿入板
２２  一対のガイド板
２３  第１先端部
２４  支持部
２５  支持プレート
２６  薄板
２７  折り曲げ部
３０  係合部
３１  係合板
３２  第２先端部
４０  基材
６０  収納袋
６１  袋本体
６２  開口部
６３  蓋片
６４  剥離片
６５  接着部
１００  封入治具
２００  封入治具
２１０  挿入部
２１１  基板
２１２  一対の側板
２２０  収納袋装着部
２２１  挿入板
２２２  一対のガイド板
２２３  第１先端部
２２４  支持部
２２５  支持プレート
２２６  薄板
２２７  折り曲げ部
２３０  係合部
２３１  係合板
２３２  第２先端部
２４０  基材
２６０  収納袋
２６１  袋本体
２６２  開口部
２６３  蓋片
２６４  剥離片
２６５  接着部
３００  封入治具
３１０  挿入部
３１１  基板
３１２  一対の側板
３２０  収納袋装着部
３２１  挿入板
３２２  一対のガイド板
３２３  第１先端部
３２４  支持部
３２５  支持プレート
３２６  薄板
３２７  折り曲げ部
３３０  係合部
３３１  係合板
３３２  第２先端部
３４０  基材
３６０  収納袋
３６１  袋本体
３６２  開口部
３６３  蓋片
３６４  剥離片
３６５  接着部
４００  封入治具
４１０  挿入部
４１１  基板
４１２  一対の側板
４２０  収納袋装着部
４２１  挿入板
４２２  一対のガイド板
４２３  第１先端部
４２４  支持部
４２５  支持プレート
４２６  薄板
４２７  折り曲げ部
４３０  係合部
４３１  支持板
４３２  第２先端部
４３３  係合板
４４０  基材
４６０  収納袋
４６１  袋本体
４６２  開口部
４６３  蓋片
４６４  剥離片
４６５  接着部
５００  封入治具
５３０  係合部
５３１  一対の支持板
５３２  第２先端部
５３３  係合板
Ｓ  隙間
Ｗ  被収納物
【図１】
0006670474.tif 000002
【図２】
0006670474.tif 000003
【図３】
0006670474.tif 000004
【図４】
0006670474.tif 000005
【図５】
0006670474.tif 000006
【図６】
0006670474.tif 000007
【図７】
0006670474.tif 000008
【図８】
0006670474.tif 000009
【図９】
0006670474.tif 000010
【図１０】
0006670474.tif 000011
【図１１】
0006670474.tif 000012
【図１２】
0006670474.tif 000013
【図１３】
0006670474.tif 000014
【図１４】
0006670474.tif 000015
【図１５】
0006670474.tif 000016
【図１６】
0006670474.tif 000017
【図１７】
0006670474.tif 000018